(57)【要約】【課題】  警備システムにおける警備員の初動を早くする。【解決手段】  生体情報読取手段１ａは、利用者生体情報を読み取る。生体情報記憶手段１ｂは、正常生体情報を記憶する。生体情報比較手段１ｃは、利用者生体情報と正常生体情報の一致不一致を判定し、一致と判定すると一致判定信号を出力し、不一致と判定すると不一致生体情報を出力する。施錠装置１ｄは、一致判定信号を受けると鍵を解錠する。不一致生体情報記憶手段２ａは、不一致生体情報を受け取り、記憶する。不審者生体情報記憶手段２ｂは、不審者生体情報を記憶する。不一致生体情報比較手段２ｃは、不一致生体情報と不審者生体情報の一致不一致を判定する。不審者判断手段２ｄは、不一致生体情報と不審者生体情報とが一致すると不一致生体情報の人物を不審者と判断する。通報手段２ｅは、不審者判断手段２ｄが不審者であると判断すると外部に通報する。【選択図】  図１
2007058523.tif 000002
【特許請求の範囲】
【請求項１】
利用者の生体情報を用いて生体認証を行う機能を備えた警備システムにおいて、
前記利用者の生体情報である利用者生体情報を読み取る生体情報読取手段と、
正常に認証する人物の生体情報である正常生体情報をあらかじめ記憶しておく生体情報記憶手段と、
前記利用者生体情報と前記正常生体情報とを比較し、一致不一致を判定し、一致と判定すると一致判定信号を出力し、不一致と判定すると前記利用者生体情報を不一致生体情報として出力する生体情報比較手段と、
前記一致判定信号を受けると、鍵を解錠する施錠装置とを有する警備装置と、
ネットワークを介して前記不一致生体情報を受け取り、記憶する不一致生体情報記憶手段と、
不審者の生体情報である不審者生体情報をあらかじめ記憶する不審者生体情報記憶手段と、
前記不一致生体情報と前記不審者生体情報とを比較し、一致不一致を判定する不一致生体情報比較手段と、
前記不一致生体情報と前記不審者生体情報とが一致すると前記不一致生体情報から特定される人物を不審者であると判断する不審者判断手段と、
前記不審者判断手段が不審者であると判断すると、外部に通報する通報手段とを有するサーバ装置と、
からなることを特徴とする警備システム。
【請求項２】
前記不審者判断手段が、前記不一致生体情報と前記不審者生体情報とが不一致であり、かつ前記不一致生体情報記憶手段に、あらかじめ設定された回数以上前記不一致生体情報が記憶されたとき、前記不一致生体情報から特定される人物を不審者であると判断することを特徴とする請求項１記載の警備システム。
【請求項３】
前記通報手段は、警備会社に通報を行うことを特徴とする請求項１記載の警備システム。
【請求項４】
前記警備会社は、前記通報手段からの通報を受けると、警備出動を行うことを特徴とする請求項３記載の警備システム。
【請求項５】
前記サーバ装置には、複数の前記警備装置が接続されていることを特徴とする請求項１記載の警備システム。
【発明の詳細な説明】
【技術分野】
【０００１】
本発明は、警備システムに関し、特に利用者の生体情報を用いて生体認証を行い、正常に認証されると施錠装置が鍵を解錠する機能を備えた警備システムに関する。
【背景技術】
【０００２】
昨今の空き巣などの犯罪の増加に伴い、小売店舗やビルだけではなく、個人住宅や集合住宅などへも機械警備システムが導入される事例が増えている。従来導入されていた機械警備システムは、たとえば家屋に設置した警備装置のドアや窓の開閉や火災検知などのセンサの異常信号をトリガとして問題を検知するシステムを用いていた。
【０００３】
図１４は、センサの異常信号をトリガとして問題を検知する警備装置の機能構成を示す図である。図１４に示すように、警備装置６００は、操作部６１０、外部入力ポート６２０、および通報部６３０を備えている。また、操作部６１０は、画面表示部６１１とキー入力部６１２を備えている。
【０００４】
画面表示部６１１は、機械警備を行うときに警備装置６００からの指示や、警備装置６００の状態などを表示する。たとえば、いま警備が有効になっているか否かなどを表示する。キー入力部６１２は、たとえば、警備装置６００の設定を行う設定キーなどである。この設定キーを押すことによって警備装置６００の警備設定や解除を行う。
【０００５】
外部入力ポート６２０には、ドア開検知センサ７１０、窓開検知センサ７２０、振動検知センサ７３０、および火災検知センサ７４０のセンサ７００が接続されている。たとえば、ドア開検知センサ７１０は、一方に磁石、もう一方に磁気を感知するセンサを有する二つ一組から構成されており、玄関の扉と枠に扉を閉じた状態のときに磁気センサが磁石の磁力を検知できる程度に近くに設置する。そして、磁気を感知するセンサが磁石の磁気を検知できなくなることによりドアが開いたことを検知する。
【０００６】
ドア開検知センサ７１０は、ドアが開いたことを検知すると、外部入力ポート６２０を介して通報部６３０に対して異常検知信号を出力する。そして、通報部６３０は、異常検知信号を受けると、外部へ異常を検知したことを通報する。同様に、窓開検知センサ７２０、振動検知センサ７３０、および火災検知センサ７４０は、異常を検知すると外部入力ポート６２０を介して通報部６３０に対して異常検知信号を出力する。そして、通報部６３０は、異常検知信号を受けると、外部へ異常を検知したことを通報する。
【０００７】
図１５は、センサの異常信号をトリガとして問題を検知する機械警備システムのシステム構成例を示す図である。図１５に示すように、警備装置６００は、ネットワーク６３１を介して警備センタ８００に接続されている。たとえば、一般家屋にセンサ７００が設置されているとき、センサ７００が異常を検知すると警備装置６００は、ネットワーク６３１を介して警備センタ８００へ異常を検知したことを通報する。たとえば、警備センタ８００は、警備会社の管理センタであり、異常検知通報を受けると警備装置６００が設置してある家屋を特定し、警備員に対して出動指令を出す。そして、警備員は、警備装置６００が設置してある家屋へ行き異常を確かめる。
【０００８】
一方、最近のドアキーには、操作者個人の持つ生体情報（手のひら静脈パターン・指静脈パターン・指紋など）をあらかじめ読み取って記憶しておき、開閉操作時に読み取った生体情報と、あらかじめ読み取って記憶しておいた生体情報との比較を行うことにより本人認証を行い、鍵が開く電子錠が提案されている。
【０００９】
図１６は、生体情報を用いて本人認証を行うドアキーユニットの機能構成を示す図である。図１６に示すように、ドアキーユニット９００は、操作部９１０、生体情報記憶部９２０、生体情報比較部９３０、およびキー解除ドライバ部９４０を備えている。また、操作部９１０は、画面表示部９１１、キー入力部９１２、および生体情報読取部９１３を備えている。
【００１０】
画面表示部９１１は、生体認証を行うときにドアキーユニット９００からの指示や、ドアキーユニット９００の状態、生体認証の結果などを表示する。キー入力部９１２は、たとえば、ドアキーユニット９００の設定を行う設定キーや、生体情報の読み取りを始める読み取り開始キーなどである。生体情報読取部９１３は、解錠をしようとする利用者の生体情報を読み取る。生体情報記憶部９２０は、認証を許可する利用者の生体情報をあらかじめ記憶しておく。そして、生体情報比較部９３０は、生体情報読取部９１３が読み取った生体情報と、生体情報記憶部９２０にあらかじめ記憶されている生体情報とを比較して一致しているか否かを判定する。一致している場合には、キー解除ドライバ部９４０を介してキー解除部９４１によって鍵が解錠される。また、不一致の場合には、画面表示部９１１は、解錠不可表示をする。
【００１１】
また、ドアの鍵の施錠解除を検知する施錠解除センサと、ドアノブに触れた手の指紋を読み取る指紋センサと、あらかじめ記憶しておいた指紋と指紋センサが読み取った指紋を比較する指紋比較部と、施錠解除センサからの制御信号を受け、指紋比較部において指紋が不一致であると判断された場合に電話回線を介して警備会社コンピュータに施錠放置が不正に解除された旨の通報を行う通信部とを備えた警備システムが提案されている（特許文献１参照）。
【特許文献１】特開２００２−１８３８４３号公報（段落番号〔００２３〕〜〔００２８〕、図１）
【発明の開示】
【発明が解決しようとする課題】
【００１２】
しかし、従来の警備システムにおいては、扉やドアが開けられることによりセンサが異常を検知し、その旨を警備会社などに通報することによって警備出動が開始される。つまり、扉が開けられ、センサが異常を検知したとしても、警備員が警備装置が設置されている家屋に到着するまでの間、犯罪者が野放しになってしまうという問題がある。
【００１３】
本発明はこのような点に鑑みてなされたものであり、警備員の初動を早くすることができる警備システムを提供することを目的とする。
【課題を解決するための手段】
【００１４】
本発明では上記課題を解決するために、図１に示すような、利用者の生体情報を用いて生体認証を行う機能を備えた警備システムにおいて、利用者の生体情報である利用者生体情報を読み取る生体情報読取手段１ａと、正常に認証する人物の生体情報である正常生体情報をあらかじめ記憶しておく生体情報記憶手段１ｂと、利用者生体情報と正常生体情報とを比較し、一致不一致を判定し、一致と判定すると一致判定信号を出力し、不一致と判定すると利用者生体情報を不一致生体情報として出力する生体情報比較手段１ｃと、一致判定信号を受けると、鍵を解錠する施錠装置１ｄとを有する警備装置１と、ネットワーク３を介して不一致生体情報を受け取り、記憶する不一致生体情報記憶手段２ａと、不審者の生体情報である不審者生体情報をあらかじめ記憶する不審者生体情報記憶手段２ｂと、不一致生体情報と不審者生体情報とを比較し、一致不一致を判定する不一致生体情報比較手段２ｃと、不一致生体情報と不審者生体情報とが一致すると不一致生体情報から特定される人物を不審者であると判断する不審者判断手段２ｄと、不審者判断手段２ｄが不審者であると判断すると、外部に通報する通報手段２ｅとを有するサーバ装置２とからなることを特徴とする警備システムが提供される。
【００１５】
これにより、生体情報読取手段１ａは、利用者の生体情報である利用者生体情報を読み取る。生体情報記憶手段１ｂは、正常に認証する人物の生体情報である正常生体情報をあらかじめ記憶しておく。生体情報比較手段１ｃは、利用者生体情報と正常生体情報とを比較し、一致不一致を判定し、一致と判定すると一致判定信号を出力し、不一致と判定すると利用者生体情報を不一致生体情報として出力する。施錠装置１ｄは、一致判定信号を受けると、鍵を解錠する。不一致生体情報記憶手段２ａは、ネットワーク３を介して不一致生体情報を受け取り、記憶する。不審者生体情報記憶手段２ｂは、不審者の生体情報である不審者生体情報をあらかじめ記憶する。不一致生体情報比較手段２ｃは、不一致生体情報と不審者生体情報とを比較し、一致不一致を判定する。不審者判断手段２ｄは、不一致生体情報と不審者生体情報とが一致すると不一致生体情報から特定される人物を不審者であると判断する。通報手段２ｅは、不審者判断手段２ｄが不審者であると判断すると、外部に通報する。
【発明の効果】
【００１６】
本発明の警備システムによれば、生体認証に失敗したときに、生体認証時に読み取られる利用者の生体情報を使って不審者か否かを自動的に判断することができるので、泥棒などの犯罪者が家屋などの建物に侵入する前に警備会社などへの通報が可能となる。したがって、警備出動の初動を早くすることができるので、犯罪者による犯罪行為を行う時間を低減することが可能となる。また、建物に侵入する前に警備員が到着すれば犯罪を未然に防ぐことが可能となる。
【発明を実施するための最良の形態】
【００１７】
以下、本発明の実施の形態を図面を参照して詳細に説明する。
〔第１の実施の形態〕
図１は、本実施の形態に適用される発明の概念図である。図１に示す警備装置１は、生体情報読取手段１ａ、生体情報記憶手段１ｂ、生体情報比較手段１ｃ、および施錠装置１ｄを備えている。サーバ装置２は、不一致生体情報記憶手段２ａ、不審者生体情報記憶手段２ｂ、不一致生体情報比較手段２ｃ、不審者判断手段２ｄ、および通報手段２ｅを備えている。そして、警備装置１とサーバ装置２は、ネットワーク３を介して接続されている。
【００１８】
生体情報読取手段１ａは、生体認証の利用者の生体情報である利用者生体情報を読み取る。生体情報記憶手段１ｂは、生体認証において正常に認証する人物の生体情報である正常生体情報をあらかじめ記憶する。生体情報比較手段１ｃは、生体情報読取手段１ａが読み取った利用者生体情報と、生体情報記憶手段１ｂがあらかじめ記憶している正常生体情報とを比較して一致不一致を判定する。一致と判定した場合には、施錠装置１ｄに対して鍵の解錠信号を出力する。また、不一致と判定した場合には、利用者生体情報をサーバ装置２へ送信する。施錠装置１ｄは、鍵の解錠信号を受けると鍵を解錠する。
【００１９】
不一致生体情報記憶手段２ａは、警備装置１から送られてきた生体情報を不一致生体情報として記憶する。不審者生体情報記憶手段２ｂは、以前に犯罪をした人や、犯罪をしそうになった人の生体情報をあらかじめ記憶する。不一致生体情報比較手段２ｃは、不一致生体情報記憶手段２ａから不一致生体情報を読み出す。また、不審者生体情報記憶手段２ｂから不審者生体情報を読み出す。そして、不一致生体情報と不審者生体情報とを比較して一致不一致を判定し、不審者判断手段２ｄへ出力する。
【００２０】
不審者判断手段２ｄは、不一致生体情報比較手段２ｃから判定結果を受け取る。そして、一致と判定された場合には、不一致生体情報によって特定される人物を不審者であると判断する。また、不一致と判定された場合には、不一致生体情報記憶手段２ａに不一致生体情報と同一の生体情報が一定回数以上記憶されているか判定する。一定回数以上記憶されている場合には、不一致生体情報によって特定される人物を不審者であると判断する。通報手段２ｅは、不審者判断手段２ｄが不一致生体情報によって特定される人物を不審者であると判断した旨を外部に通報する。
【００２１】
このような警備システムによれば、生体認証に失敗したときに、生体認証時に読み取られる利用者の生体情報を使って不審者か否かを自動的に判断することができるので、泥棒などの犯罪者が家屋などの建物に侵入する前に警備会社などへの通報が可能となる。したがって、警備出動の初動を早くすることができるので、犯罪者による犯罪行為を行う時間を低減することが可能となる。また、建物に侵入する前に警備員が到着すれば犯罪を未然に防ぐことが可能となる。
【００２２】
図２は、本実施の形態に係るシステム構成例を示す図である。図２に示すように、警備装置１００は、ネットワーク１０を介して警備センタ２００と接続されている。また、警備装置１００には、操作部１１０とセンサ３００が接続されている。警備装置１００ａは、ネットワーク１０ａを介して警備センタ２００と接続されている。また、警備装置１００ａは、警備装置１００と同様に、不図示の操作部やセンサが接続されている構成となっている。サーバ装置２１０は、警備センタ２００に設置されており、ネットワーク１０、１０ａを介して警備装置１００、１００ａと接続されている。
【００２３】
警備装置１００、１００ａは、家屋などに設置されている警備を行うための機械であり、生体認証を行うための機能、センサによる異常を検知する機能、および鍵を開閉する機能を備えている。生体認証は、操作部１１０が読み取った利用者の生体情報を受け取り、あらかじめ記憶している認証を許可する人物の生体情報と比較をすることにより行う。一致している場合には、正常に認証されたとして鍵を解錠する。また、不一致の場合には、認証に失敗したとして利用者の生体情報をサーバ装置２１０へ送信する。また、センサ３００が異常を検知した場合、警備センタ２００に通報し、警備出動を要請する。
【００２４】
警備センタ２００は、警備会社などであり、異常を検知した信号を受け取ると、受け取った信号から信号を出力した家屋を特定し、警備員に対してその家屋への警備出動を命ずる。サーバ装置２１０は、不審者の生体情報をあらかじめ記憶している。そして、警備装置１００、１００ａから認証に失敗した生体情報を受け取ると、受け取った生体情報を記憶する。また、あらかじめ記憶されている不審者の生体情報と比較を行う。一致と判定した場合には、認証に失敗した利用者を不審者と判断する。不一致と判定した場合には、サーバ装置２１０に記憶された利用者の生体情報と同一の生体情報が一定回数以上記憶されているか判定する。一定回数以上記憶されている場合には、認証に失敗した利用者を不審者と判断する。サーバ装置２１０は、認証に失敗した利用者を不審者と判断するとその旨を警備センタ２００に通報し、警備出動を要請する。
【００２５】
次に、警備装置１００が有する処理機能について説明する。
図３は、警備装置の処理機能を示す図である。図３に示すように、警備装置１００は、操作部１１０、生体情報記憶部１２０、生体情報比較部１３０、キー解除ドライバ部１４０、通信部１５０、および外部入力ポート１６０を備えている。また、操作部１１０は、画面表示部１１１、キー入力部１１２、および生体情報読取部１１３を備えている。
【００２６】
生体情報読取部１１３は、解錠をしようとする生体認証の利用者の手のひらの静脈パターンである利用者静脈パターンを読み取る。生体情報記憶部１２０は、認証を許可する利用者の静脈パターンである正常静脈パターンをあらかじめ記憶しておく。そして、生体情報比較部１３０は、生体情報読取部１１３が読み取った利用者静脈パターンと、生体情報記憶部１２０にあらかじめ記憶されている正常静脈パターンとを比較して一致しているか否かを判定する。一致と判定した場合には、キー解除ドライバ部１４０を介してキー解除部４００によって鍵が解錠される。また、不一致と判定した場合には、通信部１５０を介して警備センタ２００に設置されているサーバ装置２１０に利用者静脈パターンを送信する。
【００２７】
また、外部入力ポート１６０には、ドア開検知センサ３１０、窓開検知センサ３２０、振動検知センサ３３０、および火災検知センサ３４０のセンサ３００が接続されている。たとえば、ドア開検知センサ３１０は、一方に磁石、もう一方に磁気を感知するセンサを有する二つ一組から構成されており、玄関の扉と枠に扉を閉じた状態のときに磁気センサが磁石の磁力を検知できる程度に近くに設置する。そして、磁気を感知するセンサが磁石の磁気を検知できなくなることによりドアが開いたことを検知する。
【００２８】
ドア開検知センサ３１０は、ドアが開いたことを検知すると、外部入力ポート１６０を介して通信部１５０に対して異常検知信号を出力する。そして、通信部１５０は、異常検知信号を受けると、警備センタ２００へ異常を検知したことを通報する。同様に、窓開検知センサ３２０、振動検知センサ３３０、および火災検知センサ３４０は、異常を検知すると外部入力ポート１６０を介して通信部１５０に対して異常検知信号を出力する。そして、通信部１５０は、異常検知信号を受けると、警備センタ２００へ異常を検知したことを通報する。
【００２９】
次に、警備センタ２００に設置されているサーバ装置２１０が有する処理機能について説明する。
図４は、サーバ装置の処理機能を示す図である。図４に示すように、サーバ装置２１０は、通信部２１１、不一致生体情報記憶部２１２、不審者生体情報記憶部２１３、不一致生体情報比較部２１４、不審者判断部２１５、および通報部２１６を備えている。
【００３０】
通信部２１１は、警備装置１００から認証に失敗した利用者の静脈パターンである不一致静脈パターンを受けると、不一致生体情報記憶部２１２に記憶させる。不審者生体情報記憶部２１３には、あらかじめ不審者の静脈パターンである不審者静脈パターンが記憶されている。不一致生体情報比較部２１４は、不一致生体情報記憶部２１２に記憶された不一致静脈パターンを読み出す。また、不審者生体情報記憶部２１３にあらかじめ記憶されている不審者静脈パターンを読み出す。そして、不一致静脈パターンと不審者静脈パターンとを比較して一致不一致を判定し、判定結果を不審者判断部２１５へ出力する。
【００３１】
不審者判断部２１５は、不一致生体情報比較部２１４が一致と判定した判定結果を受け取った場合は、不一致静脈パターンから特定される人物を不審者と判断する。つまり、認証に失敗した利用者を不審者と判断する。また、不一致と判定した判定結果を受け取った場合は、不一致生体情報記憶部２１２に不一致静脈パターンが一定回数以上記憶されているか否かを判定する。そして、一定回数以上記憶されている場合には、認証に失敗した利用者を不審者と判断する。そして、不審者判断部２１５は、認証に失敗した利用者を不審者と判断すると、その旨を通報部２１６を介して警備センタ２００に通報する。
【００３２】
警備会社の場合には、以前に犯罪や犯罪未遂を起こした人物の情報が、ブラックリストというような形で存在することがある。したがって、不審者生体情報記憶部２１３に記憶させる不審者の静脈パターンは警備会社が持っているブラックリストなどを用いる作成する。すると、一定回数以上同一の静脈パターンが記憶されるのを待つことなくすぐに通報が可能となる。たとえば、一定回数を５回としたとき、１回目から４回目までは静脈パターンが不一致生体情報記憶部２１２に記憶されるだけで通報されないので、あらかじめ不審者とわかっている人物が記載されているブラックリストがあるならば、ブラックリストに記載されている静脈パターンを不審者生体情報記憶部２１３に記憶しておき、すぐに通報する方がより警備出動の初動が早くすることが可能となり、犯罪の抑止の一助となる。
【００３３】
次に、サーバ装置２１０の不一致生体情報記憶部２１２に格納されているデータの具体例について説明する。
図５は、不一致生体情報テーブルのデータ構造例を示す図である。図５に示すように、不一致生体情報記憶部２１２に格納されている不一致生体情報テーブル５００は、番号、取得日時、および生体情報の各欄が設けられている。各欄の横方向に並べられた情報同士が互いに関連づけられ、生体情報比較部１３０が不一致と判定した静脈パターンに関するレコードを構成している。
【００３４】
番号の欄には、不一致と判定された静脈パターンが格納されるたびにふられる通し番号が設定される。取得日時の欄には、不一致と判定された静脈パターンが警備装置１００に生体情報読取部１１３を介して取得された日時が設定される。生体情報の欄には、生体情報読取部１１３から読み取られた静脈パターンがＪＰＥＧ（Joint Photographic Experts Group）形式の画像ファイルとして設定される。
【００３５】
以上のような機能およびデータを有している警備システムにより、以下の処理が行われる。
図６は、本実施の形態の警備システムによる静脈パターン認証処理の手順を示すフローチャートである。以下、図６に示す処理をステップ番号に沿って説明する。
【００３６】
〔ステップＳ１１〕生体情報読取部１１３は、生体認証を行う利用者の手のひらの静脈パターンを読み取る。
〔ステップＳ１２〕生体情報比較部１３０は、生体情報読取部１１３が読み取った利用者の静脈パターンである利用者静脈パターンと、生体情報記憶部１２０があらかじめ記憶している静脈パターンである正常静脈パターンとを比較する。なお、生体情報記憶部１２０には、玄関の扉の鍵を解錠してもよい人物の静脈パターンを正常静脈パターンとしてあらかじめ記憶しておく。
【００３７】
〔ステップＳ１３〕生体情報比較部１３０は、利用者静脈パターンと正常静脈パターンとを比較して、一致不一致を判定する。比較した静脈パターンが一致している場合には、処理をステップＳ１４へ進め、比較した静脈パターンが不一致の場合には、処理をステップＳ１５へ進める。
【００３８】
〔ステップＳ１４〕キー解除ドライバ部１４０は、キー解除部４００によって鍵を解錠して処理を終了する。
〔ステップＳ１５〕生体情報比較部１３０は、比較に用いた利用者静脈パターンを通信部１５０を介して警備センタ２００に設置されているサーバ装置２１０に送信する。サーバ装置２１０は、利用者静脈パターンを受け取ると不一致生体情報記憶部２１２内の不一致生体情報テーブル５００に記憶する。
【００３９】
〔ステップＳ１６〕不一致生体情報比較部２１４は、サーバ装置２１０から受け取った利用者静脈パターンと、不審者生体情報記憶部２１３にあらかじめ記憶されている不審者静脈パターンを読み出す。たとえば、警備会社の場合には、以前に犯罪や犯罪未遂を起こした人物の情報が、ブラックリストというような形で存在することがある。不審者生体情報記憶部２１３にあらかじめ記憶されている不審者静脈パターンは、警備会社が持っているブラックリストなどから作成する。
【００４０】
〔ステップＳ１７〕不一致生体情報比較部２１４は、利用者静脈パターンと不審者静脈パターンを比較して一致不一致を判定し、判定結果を不審者判断部２１５へ出力する。不一致生体情報比較部２１４が一致したと判定した場合には、処理をステップＳ１８へ進め、不一致と判定した場合には、処理をステップＳ２０へ進める。
【００４１】
〔ステップＳ１８〕不審者判断部２１５は、利用者を不審者と判断する。そして、通報部２１６を介して警備センタ２００にその旨を通報する。警備センタ２００は、たとえば、警備会社の管理センタであり、警備装置１００からの通報を受けると不審者確保や、状況確認のために警備員を出動させる。
【００４２】
〔ステップＳ１９〕生体情報比較部１３０は、操作部１１０内の画面表示部１１１に対して玄関の扉の鍵を開けることができない旨の表示を行い、処理を終了する。
〔ステップＳ２０〕不審者判断部２１５は、不一致生体情報記憶部２１２に記憶されている利用者の静脈パターンが一定回数以上記憶されているか否かを判断する。一定回数以上記憶されている場合には、処理をステップＳ１８へ進め、一定回数以上記憶されていない場合には、処理をステップＳ１９へ進める。たとえば、一定の回数を５回に設定してあるときには、不審者判断部２１５は、同じ静脈パターンが５回記憶されると、記憶された静脈パターンを持つ人物を不審者と判断し、通報部２１６を介して警備センタ２００へ利用者を不審者と判断した旨を通報する。
【００４３】
なお、生体情報が手のひらの静脈パターンであるとして説明したが、生体情報は手のひらの静脈パターンとは限らず、指静脈パターン、虹彩、指紋などを用いてもよい。指紋を用いるときには以下のような呼出ボタンを使ってもよい。
【００４４】
図７は、本実施の形態の操作部の外観図である。図７に示すように、操作部１１０は、画面表示部１１１、キー入力部１１２、および生体情報読取部１１３を備えている。画面表示部１１１は、生体認証を行うときに警備装置１００からの指示などを表示する。利用者は、画面表示部１１１に表示される指示に従って操作を行う。キー入力部１１２は、たとえば、暗証番号などを入力するためのテンキーや、警備装置１００の設定を行う設定キーなどである。この設定キーを押すことによって警備装置１００の警備開始や警備解除などの操作を行う。また、警備装置１００の警備基準の変更などを行えるようにしてもよい。生体情報読取部１１３は、解錠をしようとする利用者の指紋を読み取る。
【００４５】
図８は、本実施の形態の生体情報読取部の断面図である。図８に示すように、生体情報読取部１１３は、指紋読取台１１４、指紋リーダ１１５、および呼出ボタン接点部１１６を備えている。生体情報読取部１１３は、呼出ボタンを兼ねる構成となっている。つまり、利用者が指紋読取台１１４を押すことによって、指紋リーダ１１５に設けられた呼出ボタン接点部１１６ａと、操作部１１０側に設けられた呼出ボタン接点部１１６ｂとが接して呼出処理が行われると同時に、指紋読取台１１４に接している指の指紋を指紋リーダ１１５が読み取る構成となっている。
【００４６】
図９は、生体情報読取部による指紋読取処理の手順を示すフローチャートである。以下、図９に示す処理をステップ番号に沿って説明する。
〔ステップＳ３１〕生体情報読取部１１３は、呼出ボタンが押されたか否かを判断する。押された場合は処理をステップＳ３２へ進め、押されていない場合は処理をステップＳ３１に進める。つまり、呼出ボタンが押される行為をトリガとして処理がステップＳ３２へ進められる。
【００４７】
〔ステップＳ３２〕生体情報読取部１１３は、指紋読取台１１４上の指の指紋を読み取る。指紋読取台１１４には、指紋を読み取る指紋リーダ１１５が備えられており、呼出ボタン接点部１１６が接することにより呼出処理が行われると同時に、指紋リーダが作動し、指紋読取台１１４上の指の指紋を読み取る。このような構成をとることにより、呼出ボタンを押す行為と同時に指紋リーダ１１５が指紋読取台１１４上の指の指紋を読み取るので確実に指紋が採取できる。
【００４８】
〔第２の実施の形態〕
次に、本発明の第２の実施の形態について説明する。本実施の形態の警備システムは、マンションなどの集合住宅に適用する場面を想定している。以下、上記第１の実施の形態とほぼ同様の構成部分については同一の符号を付すなどして適宜その説明を省略する。
【００４９】
図１０は、本実施の形態に係るシステム構成例を示す図である。図１０に示すように、玄関、および各部屋の扉にドアキーユニット２１１０ａ〜ｇが備えられている。また、ドアキーユニット２１１０ａ〜ｇは、それぞれ通信ユニット２１００に接続されている。通信ユニット２１００は、ネットワーク１０を介して警備センタ２２００に接続されている。
【００５０】
ドアキーユニット２１１０ａは、静脈パターンを読み取るための機能と鍵を開閉する機能を備えている。また、通信ユニット２１００は、ドアキーユニット２１１０ａが読み取った静脈パターンを受け取り、あらかじめ記憶している認証を許可する人物の静脈パターンである正常静脈パターンと比較をすることにより生体認証を行う。静脈パターンが一致している場合には、正常に認証された旨をドアキーユニット２１１０ａへ通知する。そして、通知を受けたドアキーユニット２１１０ａは鍵を解錠する。また、生体情報が不一致の場合には、認証に失敗した利用者の静脈パターンである利用者静脈パターンを記憶する。また、利用者静脈パターンと、通信ユニット２１００にあらかじめ記憶されている不審者静脈パターンとを比較し、一致不一致を判定する。そして、不審者静脈パターンと一致した場合には、利用者を不審者と判断する。不審者の静脈パターンと不一致の場合には、通信ユニット２１００に一定回数以上記憶されているか否かを判断する。一定回数以上記憶されている場合には、利用者を不審者と判断する。通信ユニット２１００は、利用者を不審者と判断すると、警備センタ２２００に通報し、警備出動を要請する。
【００５１】
次に、ドアキーユニット２１１０ａが有する処理機能について説明する。
図１１は、ドアキーユニットの処理機能を示す図である。図１１に示すように、ドアキーユニット２１１０ａは、操作部１１０、キー解除ドライバ部１４０、および通信部１５０を備えている。また、操作部１１０は、画面表示部１１１、キー入力部１１２、および生体情報読取部１１３を備えている。
【００５２】
生体情報読取部１１３は、解錠をしようとする生体認証の利用者の手のひらの静脈パターンである利用者静脈パターンを読み取る。キー解除ドライバ部１４０は、生体情報読取部１１３が読み取った利用者静脈パターンを使った静脈認証が許可されると、キー解除部４００によって鍵を解錠する。通信部１５０は、生体情報読取部１１３が読み取った静脈パターンを通信ユニット２１００へ送信する。なお、ドアキーユニット２１１０ａのみの説明を行ったが、ドアキーユニット２１１０ｂ〜ｇも同様の構成を有し、同様の機能を備えているものとする。
【００５３】
次に、通信ユニット２１００が有する処理機能について説明する。
図１２は、通信ユニットの処理機能を示す図である。図１２に示すように、通信ユニット２１００は、生体情報記憶部１２０、通信部２１１、不審者生体情報記憶部２１３、不一致生体情報比較部２１４、不審者判断部２１５、通報部２１６、生体情報比較部２１３０、および不一致生体情報記憶部２２１２を備えている。
【００５４】
生体情報記憶部１２０は、認証を許可する利用者の静脈パターンをあらかじめ記憶しておく。生体情報比較部２１３０は、生体情報読取部１１３が読み取った利用者の静脈パターンである利用者静脈パターンを通信部２１１を介して受け取る。また、生体情報記憶部１２０にあらかじめ記憶されている解錠してもよい人物の静脈パターンである正常静脈パターンを読み出す。そして、利用者の静脈パターンと正常静脈パターンとを比較して一致しているか否かを判定する。一致している場合には、通信部２１１を介してドアキーユニット２１１０ａに認証を許可する旨の信号を出力する。不一致の場合には、認証に失敗した利用者静脈パターンを不一致静脈パターンとして不一致生体情報記憶部２２１２に記憶させる。不審者生体情報記憶部２１３には、あらかじめ不審者の静脈パターンである不審者静脈パターンが記憶されている。不一致生体情報比較部２１４は、不一致生体情報記憶部２２１２に記憶された不一致静脈パターンを読み出す。また、不審者生体情報記憶部２１３にあらかじめ記憶されている不審者静脈パターンを読み出す。そして、不一致静脈パターンと不審者静脈パターンとを比較して一致不一致を判定し、判定結果を不審者判断部２１５へ出力する。
【００５５】
不審者判断部２１５は、不一致生体情報比較部２１４が一致と判定した判定結果を受け取った場合は、認証に失敗した利用者を不審者と判断する。また、不一致と判定した判定結果を受け取った場合は、不一致生体情報記憶部２２１２に不一致静脈パターンが一定回数以上記憶されているか否かを判断する。そして、一定回数以上記憶されている場合には、認証に失敗した利用者を不審者と判断する。そして、不審者判断部２１５は、認証に失敗した利用者を不審者と判断すると、その旨を通報部２１６を介して警備センタ２００に通報する。
【００５６】
次に、通信ユニット２１００の不一致生体情報記憶部２２１２に格納されているデータの具体例について説明する。
図１３は、不一致生体情報のデータ構造例を示す図である。図１３に示すように、不一致生体情報記憶部２２１２に格納されている不一致生体情報テーブル２５００は、番号、取得日時、生体情報、および取得場所の各欄が設けられている。各欄の横方向に並べられた情報同士が互いに関連づけられ、生体情報比較部２１３０が不一致と判定した静脈パターンに関するレコードを構成している。
【００５７】
番号の欄には、不一致と判定された静脈パターンが格納されるたびにふられる通し番号が設定される。取得日時の欄には、不一致と判定された静脈パターンが通信ユニット２１００に取得された日時が設定される。生体情報の欄には、生体情報読取部１１３が読み取った静脈パターンがＪＰＥＧ形式の画像ファイルとして設定される。また、取得場所の欄には、静脈パターンを読み取ったドアキーユニットが設置されている場所を設定する。
【００５８】
たとえば、ドアキーユニット２１１０ｇが取り付けられている３０２号室の住人が部屋に入る場合を考える。３０２号室の住人は、玄関に取り付けられているドアキーユニット２１１０ａを使って生体認証を行い、玄関の鍵を開ける。次に、３０２号室の扉に取り付けられているドアキーユニット２１１０ｇを使って生体認証を行い、３０２号室の扉の鍵を開けて部屋に入る。
【００５９】
このときの生体認証は通信ユニット２１００が行うので、たとえば、３０２号室の住人が、間違えて隣の部屋である３０１号室のドアキーユニット２１１０ｆや、下の階である２０２号室のドアキーユニット２１１０ｅで生体認証を行い認証異常となった場合、不一致だった３０２号室の住人の静脈パターンは通信ユニット２１００に記憶される。つまり、生体認証において静脈パターンが不一致と判定された場合には、ドアキーユニット２１１０ａ〜ｇのどのドアキーユニットで静脈パターンが不一致になったとしても不一致となった人物の静脈パターンは通信ユニット２１００に記憶されることになる。
【００６０】
したがって、不審者が玄関、１０１号室、１０２号室、２０１号室と、次々に生体認証を試みると、そのとき生体認証で失敗した不審者のすべての静脈パターンが通信ユニット２１００に記憶されることになる。すると、１つの家で複数回の生体認証に失敗することによって起こる通報より複数カ所の認証異常を検知して通報することにより一カ所で異常を検知して通報するときよりも早く不審者を特定することが可能となり、警備員の初動がより早くなる。
【００６１】
以上の処理を警備システムに行わせることによって、従来の警備システムのように泥棒などの犯罪者が家屋に侵入してから警備会社などに通報を行い、警備出動するとどうしても生じてしまう初動の遅れを減らすことが可能となる。つまり、実際に犯罪者が侵入された形跡を検知して出動要請を行うのではなく、侵入される前に不審者を判断・特定し、出動要請を行うので、警備出動の初動を早くすることが可能となり、犯罪の発生の防止、犯罪の抑止、および犯罪者の早期発見に有用である。
【００６２】
なお、サーバ装置２１０を設置することなく不審者判断部２１５を警備装置１００の内部に設け、利用者を不審者と判断すると、警備装置１００が警備センタ２００にその旨を通報する警備装置でも上記警備システムと同様の効果を発揮できる。
【００６３】
（付記１）  利用者の生体情報を用いて生体認証を行う機能を備えた警備システムにおいて、
前記利用者の生体情報である利用者生体情報を読み取る生体情報読取手段と、
正常に認証する人物の生体情報である正常生体情報をあらかじめ記憶しておく生体情報記憶手段と、
前記利用者生体情報と前記正常生体情報とを比較し、一致不一致を判定し、一致と判定すると一致判定信号を出力し、不一致と判定すると前記利用者生体情報を不一致生体情報として出力する生体情報比較手段と、
前記一致判定信号を受けると、鍵を解錠する施錠装置とを有する警備装置と、
ネットワークを介して前記不一致生体情報を受け取り、記憶する不一致生体情報記憶手段と、
不審者の生体情報である不審者生体情報をあらかじめ記憶する不審者生体情報記憶手段と、
前記不一致生体情報と前記不審者生体情報とを比較し、一致不一致を判定する不一致生体情報比較手段と、
前記不一致生体情報と前記不審者生体情報とが一致すると前記不一致生体情報から特定される人物を不審者であると判断する不審者判断手段と、
前記不審者判断手段が不審者であると判断すると、外部に通報する通報手段とを有するサーバ装置と、
からなることを特徴とする警備システム。
【００６４】
（付記２）  前記不審者判断手段が、前記不一致生体情報と前記不審者生体情報とが不一致であり、かつ前記不一致生体情報記憶手段に、あらかじめ設定された回数以上前記不一致生体情報が記憶されたとき、前記不一致生体情報から特定される人物を不審者であると判断することを特徴とする付記１記載の警備システム。
【００６５】
（付記３）  前記生体情報が手のひらの静脈パターンであることを特徴とする付記１記載の警備システム。
（付記４）  前記通報手段は、警備会社に通報を行うことを特徴とする付記１記載の警備システム。
【００６６】
（付記５）  前記警備会社は、前記通報手段からの通報を受けると、警備出動を行うことを特徴とする付記４記載の警備システム。
（付記６）  前記サーバ装置には、複数の前記警備装置が接続されていることを特徴とする付記１記載の警備システム。
【００６７】
（付記７）  利用者の生体情報を用いて生体認証を行う機能を備えた警備システムにおいて、
前記利用者の生体情報である利用者生体情報を読み取る生体情報読取手段と、
正常に認証する人物の生体情報である正常生体情報をあらかじめ記憶しておく生体情報記憶手段と、
前記利用者生体情報と前記正常生体情報とを比較し、一致不一致を判定し、一致と判定すると一致判定信号を出力し、不一致と判定すると前記利用者生体情報を不一致生体情報として出力する生体情報比較手段と、
前記一致判定信号を受けると、鍵を解錠する施錠装置とを有する警備装置と、
ネットワークを介して前記不一致生体情報を受け取り、記憶する不一致生体情報記憶手段と、
前記不一致生体情報記憶手段に前記不一致生体情報が一定回数以上記憶されると前記不一致生体情報から特定される人物を不審者であると判断する不審者判断手段と、
前記不審者判断手段が不審者であると判断すると、外部に通報する通報手段とを有するサーバ装置と、
からなることを特徴とする警備システム。
【００６８】
（付記８）  利用者の生体情報を用いて生体認証を行う機能を備えた警備システムにおいて、
前記利用者の生体情報である利用者生体情報を読み取る生体情報読取手段と、
正常に認証されると、鍵を解錠する施錠装置とを有する警備装置とを有するドアキーユニットと、
正常に認証する人物の生体情報である正常生体情報をあらかじめ記憶しておく生体情報記憶手段と、
前記利用者生体情報と前記正常生体情報とを比較し、一致不一致を判定し、一致と判定すると一致判定信号を前記ドアキーユニットへ出力し、不一致と判定すると前記利用者生体情報を不一致生体情報として出力する生体情報比較手段と、
前記不一致生体情報を受け取り、記憶する不一致生体情報記憶手段と、
不審者の生体情報である不審者生体情報をあらかじめ記憶する不審者生体情報記憶手段と、
前記不一致生体情報と前記不審者生体情報とを比較し、一致不一致を判定する不一致生体情報比較手段と、
前記不一致生体情報と前記不審者生体情報とが一致すると前記不一致生体情報から特定される人物を不審者であると判断する不審者判断手段と、
前記不審者判断手段が不審者であると判断すると、外部に通報する通報手段とを有するサーバ装置と、
からなることを特徴とする警備システム。
【００６９】
（付記９）  利用者の生体情報を用いて生体認証を行う機能を備えた警備装置において、
前記利用者の生体情報である利用者生体情報を読み取る生体情報読取手段と、
正常に認証する人物の生体情報である正常生体情報をあらかじめ記憶しておく生体情報記憶手段と、
前記利用者生体情報と前記正常生体情報とを比較し、一致不一致を判定し、一致と判定すると一致判定信号を出力し、不一致と判定すると前記利用者生体情報を不一致生体情報として出力する生体情報比較手段と、
前記一致判定信号を受けると、鍵を解錠する施錠装置と、
前記不一致生体情報を受け取り、記憶する不一致生体情報記憶手段と、
不審者の生体情報である不審者生体情報をあらかじめ記憶する不審者生体情報記憶手段と、
前記不一致生体情報と前記不審者生体情報とを比較し、一致不一致を判定する不一致生体情報比較手段と、
前記不一致生体情報と前記不審者生体情報とが一致すると前記不一致生体情報から特定される人物を不審者であると判断する不審者判断手段と、
前記不審者判断手段が不審者であると判断すると、外部に通報する通報手段と、
を有することを特徴とする警備装置。
【００７０】
（付記１０）  利用者の生体情報を用いて生体認証を行う機能を備えた警備装置において、
前記利用者の生体情報である利用者生体情報を読み取る生体情報読取手段と、
正常に認証する人物の生体情報である正常生体情報をあらかじめ記憶しておく生体情報記憶手段と、
前記利用者生体情報と前記正常生体情報とを比較し、一致不一致を判定し、一致と判定すると一致判定信号を出力し、不一致と判定すると前記利用者生体情報を不一致生体情報として出力する生体情報比較手段と、
前記一致判定信号を受けると、鍵を解錠する施錠装置と、
前記不一致生体情報を受け取り、記憶する不一致生体情報記憶手段と、
前記不一致生体情報記憶手段に前記不一致生体情報が一定回数以上記憶されると前記不一致生体情報から特定される人物を不審者であると判断する不審者判断手段と、
前記不審者判断手段が不審者であると判断すると、外部に通報する通報手段と、
を有することを特徴とする警備装置。
【図面の簡単な説明】
【００７１】
【図１】第１の実施の形態に適用される発明の概念図である。
【図２】第１の実施の形態に係るシステム構成例を示す図である。
【図３】警備装置の処理機能を示す図である。
【図４】サーバ装置の処理機能を示す図である。
【図５】不一致生体情報テーブルのデータ構造例を示す図である。
【図６】第１の実施の形態の警備システムによる静脈パターン認証処理の手順を示すフローチャートである。
【図７】第１の実施の形態の操作部の外観図である。
【図８】第１の実施の形態の生体情報読取部の断面図である。
【図９】生体情報読取部による指紋読取処理の手順を示すフローチャートである。
【図１０】第２の実施の形態に係るシステム構成例を示す図である。
【図１１】ドアキーユニットの処理機能を示す図である。
【図１２】通信ユニットの処理機能を示す図である。
【図１３】不一致生体情報のデータ構造例を示す図である。
【図１４】センサの異常信号をトリガとして問題を検知する警備装置の機能構成を示す図である。
【図１５】センサの異常信号をトリガとして問題を検知する機械警備システムのシステム構成例を示す図である。
【図１６】生体情報を用いて本人認証を行うドアキーユニットの機能構成を示す図である。
【符号の説明】
【００７２】
１  警備装置
１ａ  生体情報読取手段
１ｂ  生体情報記憶手段
１ｃ  生体情報比較手段
１ｄ  施錠装置
２  サーバ装置
２ａ  不一致生体情報記憶手段
２ｂ  不審者生体情報記憶手段
２ｃ  不一致生体情報比較手段
２ｄ  不審者判断手段
２ｅ  通報手段
【図１】
2007058523.tif 000003
【図２】
2007058523.tif 000004
【図３】
2007058523.tif 000005
【図４】
2007058523.tif 000006
【図５】
2007058523.tif 000007
【図６】
2007058523.tif 000008
【図７】
2007058523.tif 000009
【図８】
2007058523.tif 000010
【図９】
2007058523.tif 000011
【図１０】
2007058523.tif 000012
【図１１】
2007058523.tif 000013
【図１２】
2007058523.tif 000014
【図１３】
2007058523.tif 000015
【図１４】
2007058523.tif 000016
【図１５】
2007058523.tif 000017
【図１６】
2007058523.tif 000018